【事件の表示】
　特願２０１３−２６３３１９号「遊技機」拒絶査定不服審判事件〔平成２６年７月３１日出願公開、特開２０１４−１３８８０２号〕について、次のとおり審決する。
【結　論】
　本件審判の請求は、成り立たない。
【理　由】
１　手続の経緯
　本願は、平成２３年４月１４日に出願された特願２０１１−９０４０１号の一部を平成２５年１２月２０日に新たに特許出願したものであって、平成２６年１２月２５日付けで拒絶理由通知がなされ、平成２７年３月６日付けで意見書及び手続補正書が提出されたが、同年６月４日付けで拒絶査定がなされ、これに対し同年９月８日付けで拒絶査定不服審判の請求がされるとともに、手続補正書が提出されたものである。
　
２　本願発明
　平成２７年９月８日付け手続補正書は、明細書の段落【０５３２】を補正するものであるから、本願の請求項１、２に係る発明は、平成２７年３月６日付け手続補正書により補正された特許請求の範囲の請求項１、２に記載された事項により特定されるものと認められるところ、その請求項１に係る発明（以下、「本願発明」という。）は次のとおりのものである。ただし、記号は当審にて分説するために付した。
　
　「【請求項１】
Ａ　遊技媒体を用いて遊技を行うことが可能であり、付与条件が成立したことにもとづいて遊技媒体を付与し、所定条件の成立にもとづいて遊技者にとって有利な特定状態に制御する遊技機であって、
Ｂ　前記特定状態において入賞可能な開放状態に変化可能な特別可変入賞装置と、
Ｃ　前記遊技機への電力供給が停止しても記憶内容を所定期間保持可能な記憶手段と、
Ｄ　操作に応じて操作信号を出力する初期化操作手段と、
Ｅ　電力供給が開始されたときに、前記初期化操作手段からの前記操作信号が入力されたことにもとづいて、前記記憶手段の記憶内容を初期化する初期化処理を実行する初期化処理実行手段と、
Ｆ　所定のエラーが発生しているか否かを判定するエラー判定手段と、
Ｇ　少なくとも、前記初期化処理実行手段によって前記初期化処理が実行されたこと、および前記エラー判定手段によって前記所定のエラーが発生していると判定されたことを含む信号出力条件が成立したことにもとづいて、前記遊技機の外部にセキュリティ信号を出力するセキュリティ信号外部出力手段と、
Ｈ　前記付与条件が成立したときに、当該付与条件の成立により付与数が所定数に達することを示す条件成立信号を外部出力する条件成立信号外部出力手段と、
Ｉ　前記エラー判定手段によって前記所定のエラーが発生していると判定されたことにもとづいてエラー報知を実行するエラー報知実行手段とを備え、
Ｊ　前記エラー判定手段は、前記所定のエラーとして、前記特別可変入賞装置への異常入賞の発生を判定し、
Ｋ　前記セキュリティ信号外部出力手段は、前記初期化処理実行手段によって前記初期化処理が実行されたときと前記エラー判定手段によって前記所定のエラーが発生していると判定されたときとで、前記遊技機に設けられた共通の出力端子から前記セキュリティ信号を前記遊技機の外部に出力する
　ことを特徴とする遊技機。」
　
３　刊行物
　原査定の拒絶の理由において提示された、本願の遡及日前に頒布された刊行物である特開２００９−６１００３号公報（以下、「刊行物１」という。）には、図面と共に次の事項が記載されている（下線は審決にて付した。以下、同じ。）。
　ア　「【請求項１】
　
遊技球を用いて所定の遊技を行うことが可能な遊技機であって
　遊技球が進入可能な開放状態と遊技球が進入不可能な閉鎖状態とに変化可能な可変入賞装置と、
　所定の開放条件が成立したときに前記可変入賞装置を閉鎖状態から開放状態に変化させる可変入賞装置制御手段と、
　前記可変入賞装置に進入した遊技球を検出して入賞検出信号を出力する入賞検出手段と、
　
前記可変入賞装置制御手段によって前記可変入賞装置が開放状態に制御されていないときに、前記入賞検出手段が前記入賞検出信号を出力したことにもとづいて、異常入賞が発生したと判定する異常入賞判定手段と、
　
当該遊技機において前記異常入賞と異なる所定の異常状態が発生したか否かを判定する異常状態判定手段と、
　
前記異常入賞判定手段によって異常入賞が発生したと判定されたことまたは前記異常状態判定手段によって所定の異常状態が発生したと判定されたことにもとづいて、当該遊技機の外部に設けられている外部装置に所定の異常信号を出力するための外部出力手段とを備え、
　前記外部出力手段は、前記異常入賞判定手段によって異常入賞が発生したと判定されたときと前記異常状態判定手段によって所定の異常状態が発生したと判定されたときとで、当該遊技機に設けられた共通の出力端子に前記所定の異常信号を出力可能とした
　ことを特徴とする遊技機。
・・・
【請求項５】
　遊技の進行を制御し、可変入賞装置制御手段、異常入賞判定手段、異常状態判定手段および外部出力手段を含み、演出用の電気部品を制御させるための演出制御コマンドを出力する遊技制御手段と、
　前記遊技制御手段が出力した前記演出制御コマンドに応じて演出用の電気部品を制御する演出制御手段とを備え、
　前記遊技制御手段は、前記演出制御コマンドを前記演出制御手段に出力するコマンド出力手段を含み、
　前記コマンド出力手段は、異常入賞判定手段によって異常入賞が発生したと判定されたときまたは異常状態判定手段によって所定の異常状態が発生したと判定されたときに、前記演出制御手段に対して所定の異常コマンドを出力し、
　前記演出制御手段は、前記コマンド出力手段によって出力された前記所定の異常コマンドにもとづいて、
異常入賞が発生したことまたは異常状態が発生したことを示す異常報知を実行する異常報知手段を含む
　請求項１から請求項４のうちのいずれかに記載の遊技機。」
　
　イ　「【０００１】
　本発明は、遊技球を用いて所定の遊技を行うことが可能な
遊技機
　
　ウ　「【０００８】
　そこで、本発明は、
異常入賞の発生および遊技機の状態異常の発生など複数の異常が発生したことを外部装置に出力できるとともに、外部装置に情報を出力するための機構の部品数の増加や配線作業の複雑化を防ぐ
　
　エ　「【０００９】
　本発明による遊技機は、遊技球を用いて所定の遊技を行うことが可能な遊技機であって、遊技球が進入可能な開放状態と遊技球が進入不可能な閉鎖状態とに変化可能な可変入賞装置（例えば、特別可変入賞球装置２０、可変入賞球装置１５）と、・・・とを備え、
外部出力手段は、異常入賞判定手段によって異常入賞が発生したと判定されたときと異常状態判定手段によって所定の異常状態が発生したと判定されたときとで、
共通のコネクタＣＮ９を用いて異常信号をホールコンピュータに出力する
　
　オ　「【００４４】
　また、図１に示すように、可変入賞球装置１５の下方には、特別可変入賞球装置２０が設けられている。
特別可変入賞球装置２０は
第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）において
入賞領域となる大入賞口が開放状態になる。
　
　カ　「【００７５】
　なお、遊技制御用マイクロコンピュータ５６０においてＣＰＵ５６がＲＯＭ５４に格納されているプログラムに従って制御を実行するので、以下、
遊技制御用マイクロコンピュータ５６０（またはＣＰＵ５６）
【００７６】
　また、
ＲＡＭ５５は、
バックアップＲＡＭである。
電力供給が停止しても、所定期間
は、ＲＡＭ５５の
内容は保存される。
少なくとも、遊技状態すなわち遊技制御手段の制御状態に応じたデータ
と未払出賞球数を示すデータは、バックアップＲＡＭに保存される。
・・・
【００７８】
　さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、
遊技制御用マイクロコンピュータ５６０の入力ポートには、ＲＡＭの内容をクリアすることを指示するためのクリアスイッチが操作されたことを示すクリア信号が入力される。
　
　キ　「【００７９】
　また、ゲートスイッチ３２ａ、第１始動口スイッチ１３ａ、第２始動口スイッチ１４ａ、カウントスイッチ２３、大入賞口内の磁気異常を検出する磁気センサ９０、遊技機の異常な振動状態を検出する振動センサ９１、大入賞口の開放状態を検出する開放検出センサ９２および入賞口スイッチ２９ａ，３０ａ，３３ａ，３９ａからの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令に従って駆動する出力回路５９も主基板３１に搭載されている。さらに、
ホールコンピュータ等の外部装置に接続された情報端子盤３４を介して、
情報出力信号
賞球信号
を外部装置に出力する情報出力回路６４も主基板３１に搭載されている。
　
　ク　「【００８６】
　
入賞口への遊技球の入賞があると、主基板３１の出力回路６７から、払出指令信号として、払い出すべき賞球個数を示す賞球個数信号（払出数データ）および賞球個数信号の取り込み（受信）を要求する賞球ＲＥＱ信号（取込要求信号）が出力（送信）される。
【００８７】
　賞球ＲＥＱ信号および賞球個数信号は、入力回路３７３Ａを介してＩ／Ｏポート３７２ｅに入力される。
払出制御用マイクロコンピュータ３７０は、Ｉ／Ｏポート３７２ｅを介して賞球個数信号を入力すると、賞球個数信号が示す個数の遊技球を払い出すために球払出装置９７を駆動する制御を行う。
　
　ケ　「【０１１５】
　入力ポート２のビット０，１には、それぞれ、電源基板からの電源断信号およびクリアスイッチの検出信号（クリア信号）が入力される。電源断信号は、電源基板に搭載されている電源監視回路が所定電圧の低下を検出したときに出力する信号である。
クリアスイッチは遊技店員等が操作可能なスイッチあり、ＲＡＭ５５を初期化したいときに操作されるスイッチである。
　
　コ　「【０１３４】
　
遊技機に対して電源が投入され電力供給が開始されると、リセット信号が入力されるリセット端子の入力レベルがハイレベルになり、
ＣＰＵ５６
は、
メイン処理を開始する。
・・・
【０１３６】
　次いで、
ＣＰＵ５６は、
クリアスイッチ
の出力信号の状態を確認する
その確認においてオンを検出した場合には、
通常の初期化処理を実行する
【０１３７】
　クリアスイッチがオンの状態でない場合には、遊技機への電力供給が停止したときにバックアップＲＡＭ領域の
データ保護処理
が行われていないことを確認したら、ＣＰＵ５６は初期化処理を実行する。
【０１３８】
　電力供給停止時処理が行われたことを確認したら、ＣＰＵ５６は、バックアップＲＡＭ領域のデータチェックを行う（ステップＳ８）。この実施の形態では、データチェックとしてパリティチェックを行う。よって、ステップＳ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、
電力供給の停止からの復旧時でない電源投入時に実行される初期化処理を実行する。
・・・
【０１４２】
　
初期化処理では、
ＲＡＭクリア処理を行う（ステップＳ１０）。
　
　サ　「【０４２５】
　図６１は、情報端子盤に出力される各種信号を示すブロック図である。図６１に示すように、この実施の形態では、
主基板３１に搭載されている遊技制御用マイクロコンピュータ５６０から情報端子盤３４に対して、
大当り４信号
賞球情報信号（賞球信号）が情報出力処理（ステップＳ３０）によって出力される。
・・・
【０４３８】
　図７１は、賞球個数カウントスイッチの賞球払出検出と賞球信号との関係を示す説明図である。図７１に示すように、
賞球払出時に払出個数カウントスイッチ３０１が１０個の遊技球の通過を検出する度に（具体的には、遊技制御用マイクロコンピュータ５６０に賞球カウント信号のパルスが１０回入力される度に）賞球信号（賞球情報信号）が０．１００秒間オン状態となる。
・・・
【０４８３】
　以上に示したステップＳ１０７５〜Ｓ１１０１の処理によって、賞球カウント信号を１０回カウントする度に賞球信号がホールコンピュータに出力される。すなわち、
１０個の賞球払出が行われる度に賞球信号がホールコンピュータに出力される（１０個１パルス）。よって、ホールコンピュータは遊技機で払い出された遊技球数を認識することができる。
　
　シ　「【０７８６】
　また、上記に示した実施の形態において、
主基板３１側でリセット信号が入力され初期化処理が実行されてバックアップＲＡＭがクリアされたときから所定期間にも、情報端子盤３４を介して、
信号を外部出力する
この場合、
異常信号と同じ信号を外部出力する
　
　ス　上記カの【００７５】の「
遊技制御用マイクロコンピュータ５６０（またはＣＰＵ５６）
賞球信号
を外部装置に出力する
遊技制御用マイクロコンピュータ５６０から
出力される。
１０個の賞球払出が行われる度に賞球信号
ＣＰＵ５６が、１０個の賞球払出が行われる度に賞球信号を外部装置に出力する
　
　セ　上記コの【０１３４】の「
遊技機に対して電源が投入され電力供給が開始されると、リセット信号が入力されるリセット端子の入力レベルがハイレベルになり、
ＣＰＵ５６
は、
メイン処理を開始する。
ＣＰＵ５６は、
クリアスイッチ
の出力信号の状態を確認する
その確認においてオンを検出した場合には、
通常の初期化処理を実行する
初期化処理では、
ＲＡＭクリア処理を行う（ステップＳ１０）。
　よって、刊行物１には、「
ＣＰＵ５６は、遊技機に対して電源が投入され電力供給が開始され、リセット信号が入力されるリセット端子の入力レベルがハイレベルになると、メイン処理を開始し、クリアスイッチの出力信号の状態を確認し、その確認においてオンを検出した場合には、通常の初期化処理を実行し、初期化処理では、ＲＡＭクリア処理を行いＲＡＭ５５をクリアする
　
　ソ　上記クの【００８６】の「
入賞口への遊技球の入賞があると、
賞球個数信号
賞球個数信号が示す個数の遊技球を払い出すために球払出装置９７を駆動する
入賞口への遊技球の入賞があると、球払出装置９７により賞球個数信号が示す個数の遊技球を払い出
　
　タ　上記キの【００７９】の「ホールコンピュータ等の外部装置に接続された情報端子盤３４を介して、大当り遊技状態の発生を示す大当り情報等の情報出力信号（・・・賞球信号・・・）を
外部装置に出力する
遊技制御用マイクロコンピュータ５６０から
出力される。
賞球払出時に払出個数カウントスイッチ３０１が１０個の遊技球の通過を検出する度に（具体的には、遊技制御用マイクロコンピュータ５６０に賞球カウント信号のパルスが１０回入力される度に）賞球信号（賞球情報信号）が０．１００秒間オン状態となる。
賞球払出時に払出個数カウントスイッチ３０１が１０個の遊技球の通過を検出する度に賞球信号を外部装置に出力する遊技制御用マイクロコンピュータ５６０
　
　チ　上記シの【０７８６】には、「また、上記に示した実施の形態において、
主基板３１側でリセット信号が入力され初期化処理が実行されてバックアップＲＡＭがクリアされたときから所定期間にも、情報端子盤３４を介して、
信号を外部出力する
この場合、
異常信号と同じ信号を外部出力する
　したがって、刊行物１には、「
主基板３１側でリセット信号が入力され初期化処理が実行されてバックアップＲＡＭがクリアされたときから所定期間にも、情報端子盤３４を介して、異常信号と同じ信号を外部出力する
　
　ツ　上記アの【請求項１】の「前記異常入賞判定手段によって異常入賞が発生したと判定されたことまたは前記異常状態判定手段によって所定の異常状態が発生したと判定されたことにもとづいて、当該遊技機の外部に設けられている外部装置に所定の異常信号を出力するための外部出力手段」との記載より、異常信号を外部出力するのは「外部出力手段」であるので、上記シの【０７８６】の「主基板３１側でリセット信号が入力され初期化処理が実行されてバックアップＲＡＭがクリアされたときから所定期間にも、情報端子盤３４を介して、初期化が行われたことを示す信号を外部出力するようにしてもよい。この場合、初期化処理が実行されたことにもとづいて、異常入賞や始動異常入賞、磁気異常、振動異常、異常開放が検出されたときに出力する異常信号と同じ信号を外部出力するようにしてもよい」との記載において、
「異常信号と同じ信号」を外部出力するのは、「外部出力手段」であるといえる。
　
　テ　上記ア〜シの記載事項及び上記ス〜ツの認定事項から、刊行物１には以下の発明（以下、「引用発明」という。）が記載されていると認められる。ただし、記号ａ〜ｋは本件補正発明のＡ〜Ｋに対応させて付した。
　
「ａ　遊技球を用いて所定の遊技を行うことが可能であり（【請求項１】）、入賞口への遊技球の入賞があると、球払出装置９７により賞球個数信号が示す個数の遊技球を払い出し（認定事項ソ）、第１特別図柄表示器８ａに特定表示結果（大当り図柄）が導出表示されたときと、第２特別図柄表示器８ｂに特定表示結果（大当り図柄）が導出表示されたときに、入賞領域となる大入賞口が開放状態になる特定遊技状態（大当り遊技状態）が生起する遊技機であって（【0001】、【0044】）、
ｂ　特定遊技状態（大当り遊技状態）において入賞領域となる大入賞口が開放状態になる特別可変入賞球装置２０と（【0044】）、
ｃ　少なくとも、電力供給が停止しても所定期間は、遊技状態すなわち遊技制御手段の制御状態に応じたデータと未払出賞球数を示すデータを保存するＲＡＭ５５と（【0076】）、
ｄ　ＲＡＭ５５を初期化したいときに遊技店員等が操作可能なクリアスイッチであり、操作されたことを示すクリア信号が遊技制御用マイクロコンピュータ５６０（ＣＰＵ５６）の入力ポートに入力されるクリアスイッチ（【0115】、【0078】）を備え、
ｅ　ＣＰＵ５６は、
　　　遊技機に対して電源が投入され電力供給が開始され、リセット信号が入力されるリセット端子の入力レベルがハイレベルになると、メイン処理を開始し、クリアスイッチの出力信号の状態を確認し、その確認においてオンを検出した場合には、通常の初期化処理を実行し、初期化処理では、ＲＡＭクリア処理を行いＲＡＭ５５をクリアし（認定事項セ）、
ｆ、ｊ　可変入賞装置制御手段によって可変入賞装置が開放状態に制御されていないときに、入賞検出手段が前記入賞検出信号を出力したことにもとづいて、異常入賞が発生したと判定する異常入賞判定手段と、当該遊技機において異常入賞と異なる所定の異常状態が発生したか否かを判定する異常状態判定手段を備え（【請求項１】）、
ｇ　主基板３１側でリセット信号が入力され、初期化処理が実行されてバックアップＲＡＭがクリアされたときから所定期間に、情報端子盤３４を介して、異常信号と同じ信号を外部出力し（認定事項チ）、
　異常入賞判定手段によって異常入賞が発生したと判定されたことまたは異常状態判定手段によって所定の異常状態が発生したと判定されたことにもとづいて、当該遊技機の外部に設けられている外部装置に所定の異常信号を出力するための外部出力手段を備え（【請求項１】）、
ｈ　１０個の賞球払出が行われる度に賞球信号を外部装置に出力し（認定事項ス）、
ｉ　異常入賞が発生したことまたは異常状態が発生したことを示す異常報知を実行する異常報知手段（【請求項５】）
　とを備え、
ｋ　外部出力手段は、異常入賞判定手段によって異常入賞が発生したと判定されたときと異常状態判定手段によって所定の異常状態が発生したと判定されたときとで、共通のコネクタＣＮ９を用いて異常信号をホールコンピュータに出力する（【0009】）
　遊技機。」
　
４　対比・判断
　本願発明と引用発明とを分説に従い対比する（対比にあたっては、本願発明の構成Ａ〜Ｋと引用発明の構成ａ〜ｋについて、それぞれ（ａ）〜（ｋ）の見出を付けて行った。）。
　
（ａ）引用発明の
　　　　「遊技球を用いて所定の遊技を行うことが可能であ」ること、
　　　　「入賞口への遊技球の入賞がある」こと、
　　　　「球払出装置９７により賞球個数信号が示す個数の遊技球を払い出　　　　　」すこと、
　　　　「第１特別図柄表示器８ａに特定表示結果（大当り図柄）が導出表　　　　　示されたときと、第２特別図柄表示器８ｂに特定表示結果（大当　　　　　り図柄）が導出表示され」ること、
　　　　「入賞領域となる大入賞口が開放状態になる特定遊技状態（大当り　　　　　遊技状態）が生起する」ことは、それぞれ、
　本願発明の
　　　　「遊技媒体を用いて遊技を行うことが可能であ」ること、
　　　　「付与条件が成立」すること、
　　　　「遊技媒体を付与」すること、
　　　　「所定条件の成立」すること、
　　　　「遊技者にとって有利な特定状態に制御する」ことに相当する。
　したがって、引用発明のａの構成は、本願発明のＡの構成に相当する。
　
（ｂ）引用発明の「入賞領域となる大入賞口が開放状態になる」ことは、本願発明の「入賞可能な開放状態に変化可能な」ことに相当する。
　したがって、引用発明の「特別可変入賞球装置２０」は、本願発明の「特別可変入賞装置」に相当する。
　
（ｃ）引用発明の「電力供給が停止しても所定期間は」「データを保存する」ことは、本願発明の「電力供給が停止しても記憶内容を所定期間保持可能な」ことに相当する。
　したがって、引用発明の「ＲＡＭ５５」は、本願発明の「記憶手段」に相当する。
　
（ｄ）引用発明の「クリアスイッチ」は、「ＲＡＭ５５を初期化したいときに遊技店員等が操作」するものであるから、本願発明の「初期化操作手段」に相当する。
　そして、引用発明において、クリアスイッチが操作されると遊技制御用マイクロコンピュータ５６０の入力ポートに入力される「クリア信号」は、クリアスイッチの操作に応じて出力されることは明らかであるから、本願発明の操作に応じて出力される「操作信号」に相当する。
　したがって、引用発明の構成ｄは、本願発明の構成Ｄに相当する。
　
（ｅ）上記（ｃ）、（ｄ）において検討したとおり、引用発明の「クリアスイッチ」、「クリア信号」、「ＲＡＭ５５」は、本願発明の「初期化操作手段」、「操作信号」、「記憶手段」にそれぞれ相当するので、引用発明の「クリアスイッチの出力信号の状態を確認し、その確認においてオンを検出」することは、本願発明の「初期化操作手段からの操作信号が入力されたこと」に相当し、また、引用発明の「ＲＡＭ５５をクリアする」ことは、本願発明の「記憶手段の記憶内容を初期化する」ことに相当する。
　さらに、引用発明の「ＣＰＵ５６」は、初期化処理を実行し、ＲＡＭ５５をクリアするのであるから、本願発明の「初期化処理実行手段」の機能を有することは明らかである。
　したがって、引用発明の「ＣＰＵ５６」は、本願発明の構成Ｅの機能を有する。
　
（ｆ）引用発明の「異常入賞」及び「異常入賞と異なる所定の異常状態」は、本願発明の「所定のエラー」に相当する。
　したがって、引用発明の「異常入賞判定手段」、及び、「異常状態判定手段」は、本願発明の「エラー判定手段」、すなわち、構成Ｆに相当する。
　
（ｇ）上記（ｆ）での相当関係を考慮すれば、引用発明の「異常入賞判定手段によって異常入賞が発生したと判定されたことまたは異常状態判定手段によって所定の異常状態が発生したと判定されたことにもとづいて」出力される「異常信号」は、本願発明の「エラー判定手段によって所定のエラーが発生していると判定されたことを含む信号出力条件が成立したこと」にもとづいて出力される「セキュリティ信号」に相当する。
　そうすると、引用発明の「初期化処理」の実行にもとづいて出力される「異常信号と同じ信号」は、「異常信号」のことであるから、本件補正発明の「セキュリティ信号」に相当するといえる。
　ただし、前記３　チに記載したとおり、引用発明の構成ｅにおける「初期化処理」は、クリアスイッチのオンが検出された場合の「初期化処理」である「初期化処理Ａ」、すなわち、本願発明の「前記初期化処理実行手段」により、「前記初期化操作手段からの前記操作信号が入力されたことにもとづいて」実行されるものであるか否かは不明である。
　したがって、引用発明の構成ｇと、本願発明の構成Ｇとは、「少なくとも、初期化処理が実行されたこと、およびエラー判定手段によって所定のエラーが発生していると判定されたことを含む所定の信号出力条件が成立したことにもとづいて、遊技機の外部にセキュリティ信号を出力するセキュリティ信号外部出力手段」という点で共通している。
　
（ｈ）引用発明の「賞球信号を外部装置に出力」する「ＣＰＵ５６」と、本願発明の構成Ｈとを対比する。
　引用発明において、「賞球信号」は１０個の賞球払出が行われる度に出力されるものであるから、「賞球信号」を出力するときは、賞球払出の条件が成立して、払出が行われた時であるので、本願発明の「付与条件が成立したとき」に相当する。
　したがって、引用発明の「賞球信号を外部装置に出力」する機能を有する「ＣＰＵ５６」と、本願発明の構成Ｈとは、「付与条件が成立したときに、信号を外部出力する信号外部出力手段」であることで共通する。
　
（ｉ）引用発明の「異常報知」は、本願発明の「エラー報知」に相当する。
　したがって、引用発明の「異常報知手段」は、本願発明の「エラー報知実行手段」に相当する。
　
（ｊ）引用発明の「異常入賞判定手段」は、可変入賞装置への異常入賞の発生を判定するものであるから、本願発明の「所定のエラーとして、特別可変入賞装置への異常入賞の発生を判定」する「エラー判定手段」、すなわち、構成Ｊに相当する。
　
（ｋ）引用発明の「外部出力手段」、「「異常入賞判定手段」及び「異常状態判定手段」」、「「異常入賞」及び「所定の異常状態」」、「異常信号」、「共通のコネクタＣＮ９」は、本願発明の「セキュリティ信号出力手段」、「エラー判定手段」、「所定のエラー」、「セキュリティ信号」、「共通の出力端子」にそれぞれ相当する。
　
　したがって、引用発明の構成ｉと、本願発明の構成Ｉとは、「セキュリティ信号外部出力手段は、エラー判定手段によって所定のエラーが発生していると判定されたとき、遊技機に設けられた共通の出力端子からセキュリティ信号を遊技機の外部に出力」する点で共通する。
　
　上記（ａ）〜（ｋ）より、本願発明と引用発明は次の点で一致している。
「Ａ　遊技媒体を用いて遊技を行うことが可能であり、付与条件が成立したことにもとづいて遊技媒体を付与し、所定条件の成立にもとづいて遊技者にとって有利な特定状態に制御する遊技機であって、
Ｂ　前記特定状態において入賞可能な開放状態に変化可能な特別可変入賞装置と、
Ｃ　前記遊技機への電力供給が停止しても記憶内容を所定期間保持可能な記憶手段と、
Ｄ　操作に応じて操作信号を出力する初期化操作手段と、
Ｅ　電力供給が開始されたときに、前記初期化操作手段からの前記操作信号が入力されたことにもとづいて、前記記憶手段の記憶内容を初期化する初期化処理を実行する初期化処理実行手段と、
Ｆ　所定のエラーが発生しているか否かを判定するエラー判定手段と、
Ｇ’少なくとも、前記初期化処理が実行されたこと、および前記エラー判定手段によって前記所定のエラーが発生していると判定されたことを含む信号出力条件が成立したことにもとづいて、前記遊技機の外部にセキュリティ信号を出力するセキュリティ信号外部出力手段と、
Ｈ’前記付与条件が成立したときに、信号を外部出力する信号外部出力手段と、
Ｉ　前記エラー判定手段によって前記所定のエラーが発生していると判定されたことにもとづいてエラー報知を実行するエラー報知実行手段とを備え、
Ｊ　前記エラー判定手段は、前記所定のエラーとして、前記特別可変入賞装置への異常入賞の発生を判定し、
Ｋ’前記セキュリティ信号外部出力手段は、前記エラー判定手段によって前記所定のエラーが発生していると判定されたとき、前記遊技機に設けられた共通の出力端子から前記セキュリティ信号を前記遊技機の外部に出力する
　遊技機。」
　
　そして、本願発明と引用発明は、Ｇ’、Ｈ’、Ｋ’に関する次の点で相違している。
　
（相違点１）
　初期化処理が実行されたことにもとづいて、外部にセキュリティ信号を出力するセキュリティ信号外部出力手段に関して、当該初期化処理が、
　本願発明では、「電力供給が開始されたときに、前記初期化操作手段からの前記操作信号が入力されたこと」にもとづくものであるのに対し、
　引用発明は、初期化操作手段の操作にもとづくものであるか否か不明である点。
　
（相違点２）
　信号外部出力手段に関して、
　本願発明は、「付与条件が成立したときに、当該付与条件の成立により付与数が所定数に達することを示す条件成立信号を外部出力する条件成立信号外部出力手段」を備えるのに対し、
　引用発明は、賞球信号を出力するが、「付与条件の成立により付与数が所定数に達することを示す条件成立信号」を出力するものではない点。
　
（相違点３）
　セキュリティ信号外部出力手段に関して、
　本願発明は、「初期化操作手段からの操作信号が入力されたことにもとづいて、初期化処理が実行されたときとエラー判定手段によって所定のエラーが発生していると判定されたときとで、遊技機に設けられた共通の出力端子からセキュリティ信号を遊技機の外部に出力する」のに対し、
　引用発明は、初期化処理が実行されたときに出力されるセキュリティ信号を、エラー判定手段によってエラーが発生していると判定されたときと「共通の出力端子」から出力するか否か不明である点。
　
　次に、上記相違点について検討する。
ア　相違点１、３について
　相違点１、３は関連しているので、まとめて検討する。
　刊行物１の【０７８６】には、「初期化処理が実行されたことにもとづいて、異常入賞や始動異常入賞、磁気異常、振動異常、異常開放が検出されたときに出力する異常信号と同じ信号を外部出力するようにしてもよい」と記載されている。ここで、異常入賞や始動異常入賞、磁気異常、振動異常、異常開放はいずれも遊技機に対する不正の可能性がある事象であるから、異常信号は、その種類を問わず、不正が行われた可能性があることを示す信号であるといえる。そして、【０７８６】に記載されているように、リセット信号を不正に入力して初期化処理を実行させることも不正の一種であり、また、特に他の種類の不正と区別する必要性もない。
　したがって、引用発明は、バックアップＲＡＭをクリアする初期化処理が実行されたこと、及び、異常入賞が発生したと判定されたことにもとづいて、同じ異常信号を出力するものであるといえる。
　
　ここで、引用発明における「バックアップＲＡＭをクリアする初期化処理」は、主基板におけるＣＰＵが実行するメイン処理を示すフローチャートである【図１２】に示され、また、前記３　チで示したとおり、「クリアスイッチのオンが検出された場合」に実行される「初期化処理Ａ」（本願発明の「前記初期化操作手段からの前記操作信号が入力されたこと」にもとづく「初期化処理」に相当）のみならず、「初期化処理Ｂ」及び「初期化処理Ｃ」においても実行される共通の処理である。
　そして、初期化処理Ａ〜Ｃにおいて共通の処理としてバックアップＲＡＭがクリアされるのであるから、バックアップＲＡＭをクリアする初期化処理が実行されたことにもとづく異常信号と同じ信号（本願発明の「セキュリティ信号」に相当）を、初期化処理Ａ〜Ｃのいずれが実行されたときにも出力するようにし、初期化操作手段の操作による初期化処理にもとづいてセキュリティ信号を外部に出力するようにして、上記相違点１に係る本願発明の構成とすることは、当業者であれば適宜なし得た設計事項である。
　
　また、引用発明は、「異常入賞の発生および遊技機の状態異常の発生など複数の異常が発生したことを外部装置に出力できるとともに、外部装置に情報を出力するための機構の部品数の増加や配線作業の複雑化を防ぐ」という課題（上記３　ウ参照）を解決するものである。
　そして、引用発明の「部品数の増加や配線作業の複雑化を防ぐ」という課題を解決するために、引用発明において、「初期化処理Ａ」が実行された場合に出力される異常信号と同じ信号をエラーが発生していると判定されたときと「共通の端子」から出力し、上記相違点３に係る本願発明の構成とすることは、当業者が容易になし得たことである。
　
　加えて、本願の出願遡及日前の周知の事項を考慮した場合の上記相違点１、３に係る構成について以下に検討する。
　遊技機の技術分野において、電力供給が開始されたときに、初期化操作手段の操作により、記憶手段の記憶内容が初期化されたことにもとづいて、異常（エラー）が発生したときと同じ信号をホールコンピュータに出力すること、すなわち、所定のスイッチを操作して遊技機を初期化したときに、異常（エラー）が発生したときと同じ信号を外部出力することは、例えば、特開２００７−１４３８８３号公報の段落【００２９】、【００３６】、【００４３】〜【００４６】、【００６３】〜【００６８】には、ＲＡＭクリアスイッチを操作しながら電源を投入し、ＲＡＭクリアをしたことを「報知レベル０」とし、下皿満タン、各種コネクタの抜けや断線、扉開放等の異常を「報知レベル１」とし、遊技機に対する加振を「報知レベル２」とし、異物挿入等による不正行為を「報知レベル３」とし、「報知レベル０」と「報知レベル１」を合わせて報知レベル１の異常情報として、主制御基板３００からホールコンピュータ１０に出力すること、及び、報知レベル０〜３の異常情報を１本の通信線によりホールコンピュータに出力することが記載されている。また、特開２００３−９２４号公報の段落【００２０】〜【００２２】、【００２５】、【００２６】、【００３２】には、リセットスイッチ２１を押下してパチンコ機Ｐをリセットして、主制御基板Ｃを含む各制御基板が初期化されたとき、及び、電源の投入により駆動電力の供給が開始されることで、各制御基板のリセット回路から出力されるリセット信号により、主制御基板Ｃを含む各制御基板が初期化されたときに、主制御基板ＣからホールコンピュータＨＣに「リセット実行信号」を出力すること、及び、当該「リセット実行信号」を予め用意されている「エラー情報の信号」で代替してもよいことが記載されているように、本願の遡及日前における周知の技術事項である（以下「周知の技術事項１」という。）。
　
　そして、引用発明において、上記周知の技術事項１を参照すれば、電力供給が開始され、初期化操作手段の操作により記憶手段の記憶内容が初期化されたときについても、バックアップＲＡＭをクリアする初期化処理が実行されたときと同様に、異常入賞が発生したと判定されたことにもとづいて出力される「異常信号」（本願発明の「セキュリティ信号」に相当）を外部に出力することは、当業者の通常の創作範囲内のことであるから、初期化操作手段の操作により初期化されたときにも「異常信号」を外部に出力して、上記相違点１に係る本願発明の構成とすることは、当業者が適宜なし得たものであることは明らかである。
　さらに、この場合においても、部品数の増加や配線作業の複雑化を防ぐという引用発明の課題を考慮して、初期化操作手段の操作による初期化にもとづく異常信号を、異常入賞が発生したと判定されたことにもとづいて出力される「異常信号」と「共通の端子」から出力し、上記相違点３に係る本件補正発明の構成とすることは、当業者が容易になし得たことである。
　
イ　相違点２について
　遊技機の技術分野において、付与条件が成立したときに、当該付与条件の成立により付与数が所定数に達することを示す条件成立信号を外部出力する条件成立信号外部出力手段を備えることは、例えば、特開２００１−２３９０３０号公報の【０００１】、【０００３】、【０００４】、【００１３】、【００１４】、【００１８】、【図４】には、ホールコンピュータで賞球数量情報を正確に管理するために、賞球指示払出数の所定単位数量毎に賞球数量情報を主制御部４からホールコンピュータ５０に出力するパチンコ機の賞球払出装置について記載され、特開２００８−２６４２８０号公報の【００１７】、【００９３】、【０１５５】〜【０１７０】、【０３４０】、【０３６６】には、遊技ホールのホールコンピュータに対し、本来払出されるべき遊技媒体数を正確に把握させるために、賞球予定個数１０球分に相当するパルス信号を賞球予定個数信号に相当する賞球予定個数情報を主制御部２６１からホールコンピュータＨＣへ出力するパチンコ機１０について記載されているように、本願の遡及日前に周知の技術事項である（以下、「周知の技術事項２」という）。
　
　一方、刊行物１の【０４８３】には、「１０個の賞球払出が行われる度に賞球信号がホールコンピュータに出力される（１０個１パルス）。よって、ホールコンピュータは遊技機で払い出された遊技球数を認識することができる。」ことが記載されている。
　このように、刊行物発明の構成ｈの賞球信号を外部に出力するＣＰＵ５６と上記周知の技術事項２とは、払い出された遊技球数に関する情報をホールコンピュータで管理するための機能を有する点で共通する。
　したがって、刊行物発明のＣＰＵ５６に上記周知の技術事項２を適用して、賞球信号に替えて、「付与条件の成立により付与数が所定数に達することを示す条件成立信号」を遊技機からホールコンピュータに出力するようにし、上記相違点２に係る本願発明の機能を有するようにすることは当業者が容易になし得たものである。
　
　ウ　請求人は、平成２７年９月８日付けの審判請求書の「（４）本願発明と引用文献に記載された発明との比較」の「１．請求項１に関して」において、「従って、引用文献１には、「セキュリティ信号外部出力手段は、初期化処理実行手段によって初期化処理が実行されたときとエラー判定手段によって所定のエラーが発生していると判定されたときとで、遊技機に設けられた共通の出力端子からセキュリティ信号を遊技機の外部に出力する」という事項（上記の（ｊ））は開示されていないというべきであると思料する。」（第６頁第６〜１０行）と主張するが、上記アにおいて検討したとおり、クリアスイッチのオンが検出されることによる初期化処理の実行時に、異常信号と同じ信号を、各種異常が発生したときに異常信号を送信するのと「共通の出力端子」から出力することは、当業者であれば容易になし得たことである。
　よって、請求人の主張を採用することはできない。
　
　エ　本願発明の効果は、引用発明及び上記周知の技術事項１、２から予測される範囲内のものにすぎず、格別なものではない。
　
　オ　小括
　上記ア〜エにおいて検討したとおり、本願発明は、引用発明、周知の技術事項１、２に基づいて当業者が容易に発明をすることができたものである。
　
５　むすび
　以上のとおりであるから、本願発明は、特許法第２９条第２項の規定により特許を受けることができない。
　したがって、本願は他の請求項について検討するまでもなく拒絶すべきものである。
　
　よって、結論のとおり審決する。